(57)【特許請求の範囲】
【請求項１】
浴室の暖房運転機能を有する浴室空調装置と、前記浴室における風呂運転機能を有する給湯装置とを備える浴室システムにおいて、
前記浴室空調装置の運転操作用のリモコンであって、前記浴室に隣接する脱衣所に設置された浴室空調用リモコンと、
前記浴室の室温を検出する温度センサと、
該温度センサによる温度検出値を監視し、該温度検出値が所定の第１閾値温度よりも低い温度になった場合に、前記給湯装置による風呂運転の実行の有無によらずに、前記浴室空調装置による暖房運転の実行を推奨する旨の報知情報を前記浴室空調用リモコンから出力させるように該浴室空調用リモコンを制御するように構成された制御装置とを備えており、
前記制御装置は、前記浴室空調用リモコンから前記報知情報が出力されている状態で、該浴室空調用リモコンの所定の操作がなされた場合に、該報知情報の出力を中止させる機能と、該報知情報の出力を中止させた後、前記温度センサによる温度検出値を監視することを継続し、該温度検出値が前記第１閾値温度よりも低い温度に維持されていることが検知されている状態で、前記給湯装置による風呂運転が開始された場合に、前記浴室空調装置の運転停止中であり、且つ該浴室空調運転の停止後の経過時間が所定時間以上であることを必要条件として、前記報知情報の出力を再開させるように、前記浴室空調用リモコンを制御する機能とをさらに含むように構成されていることを特徴とする浴室システム。
【請求項２】
浴室の暖房運転機能を有する浴室空調装置と、前記浴室における風呂運転機能を有する給湯装置とを備える浴室システムにおいて、
前記浴室空調装置の運転操作用のリモコンであって、前記浴室に隣接する脱衣所に設置された浴室空調用リモコンと、
前記浴室の室温を検出する温度センサと、
該温度センサによる温度検出値を監視し、該温度検出値が所定の第１閾値温度よりも低い温度になった場合に、前記給湯装置による風呂運転の実行の有無によらずに、前記浴室空調装置による暖房運転の実行を推奨する旨の報知情報を前記浴室空調用リモコンから出力させるように該浴室空調用リモコンを制御するように構成された制御装置とを備えており、
前記制御装置は、前記浴室空調用リモコンから前記報知情報が出力されている状態で、該浴室空調用リモコンの所定の操作がなされた場合に、該報知情報の出力を中止させる機能と、該報知情報の出力を中止させた後、前記温度センサによる温度検出値を監視することを継続し、該温度検出値が、前記第１閾値温度よりも高い温度に上昇したこと、又は該第１閾値温度よりも所定値だけ高い第２閾値温度よりも高い温度に上昇したことを検知する機能と、当該上昇の検知後、該温度検出値が前記第１閾値温度よりも低い温度に低下したことが検知された場合に、当該上昇の検知後の前記給湯装置の風呂運転の実行の有無によらずに、前記報知情報の出力を再開させるように、前記浴室空調用リモコンを制御する機能とをさらに含むように構成されていることを特徴とする浴室システム。
【請求項３】
請求項１又は２記載の浴室システムにおいて、
前記制御装置は、前記浴室空調用リモコンから前記報知情報が出力されている状態で、前記温度検出値が、前記第１閾値温度よりも高い温度に上昇した場合、又は該第１閾値温度よりも所定値だけ高い第２閾値温度よりも高い温度に上昇した場合に、該報知情報の出力を停止させる機能をさらに含むように構成されていることを特徴とする浴室システム。
【請求項４】
請求項１〜３のいずれか１項に記載の浴室システムにおいて、
前記給湯装置の運転操作用のリモコンであって、前記脱衣所以外の箇所に設置された給湯装置用リモコンを備えており、
前記制御装置は、前記浴室空調用リモコンから前記報知情報が出力されている状態で、前記給湯装置用リモコンの操作によって風呂運転の実行が指示された場合に、前記浴室空調装置による暖房運転の実行を推奨する旨の報知情報を前記給湯装置用リモコンから出力させるように該給湯装置用リモコンを制御する機能をさらに含むように構成されていることを特徴とする浴室システム。
【請求項５】
請求項１〜４のいずれか１項に記載の浴室システムにおいて、
前記制御装置は、前記温度検出値が前記第１閾値温度よりも低い温度になっている状態で前記給湯装置による風呂運転を実行するときに、該風呂運転の実行に連動して前記浴室空調装置による暖房運転を行うように該浴室空調装置を制御する機能をさらに含むと共に、当該機能を有効とするか否かをユーザの所定の操作によって選択し得るように構成されていることを特徴とする浴室システム。
【請求項６】
請求項１〜５のいずれか１項に記載の浴室システムにおいて、
前記制御装置は、ユーザの所定の操作によって前記第１閾値温度を変更し得るように構成されていることを特徴とする浴室システム。
【請求項７】
請求項６記載の浴室システムにおいて、
前記制御装置は、あらかじめ定められた所定の下限値以上の範囲で前記第１閾値温度を変更し得るように構成されていることを特徴とする浴室システム。
【発明の詳細な説明】
【技術分野】
【０００１】
本発明は、浴室システムに関する。
【背景技術】
【０００２】
浴室の暖房運転機能を有する浴室空調装置と、浴槽の湯はり運転等の風呂運転機能を有する給湯装置とを備えた浴室システムが従来より一般に知られている（例えば特許文献１、２を参照）。
【０００３】
また、上記特許文献１，２、あるいは、特許文献３には、浴室の温度（室温）が低い状態で、浴槽の湯はり運転が行われた場合に、台所あるいは浴室に設置されたリモコンにて、浴室の暖房運転のための表示を自動的に行ったり、あるいは、浴室が冷えていることをユーザに報知する技術が提案されている。
【先行技術文献】
【特許文献】
【０００４】
【特許文献１】特開２００２−２９５８５６号公報
【特許文献２】特開２０１４−２１４９８２号公報
【特許文献３】特開２０１１−２４７５５１号公報
【発明の概要】
【発明が解決しようとする課題】
【０００５】
特許文献１〜３に見られる技術では、ユーザが入浴しようとする状況でのヒートショックの発生を予防することは可能である。
【０００６】
一方、ユーザが入浴せずに、シャワーだけを利用するために、浴室に入る場合もある。しかるに、特許文献１〜３に見られる技術では、ユーザが、浴槽の湯はり運転を行うことなく、シャワーだけを利用するために、浴室に入る場合には、浴室が冷えていても、その旨の報知あるいは暖房運転に関する報知は行われない。
【０００７】
従って、ユーザが、浴室が冷えていることを意識せずに、浴室に入ってしまう状況が生じ易いという不都合がある。
【０００８】
本発明はかかる背景に鑑みてなされたものであり、ユーザが入浴するか否かによらずに、浴室が冷えている場合の報知を適切に行うことができる浴室システムを提供することを目的とする。
【課題を解決するための手段】
【０００９】
本発明の浴室システムは、かかる目的を達成するために、浴室の暖房運転機能を有する浴室空調装置と、前記浴室における風呂運転機能を有する給湯装置とを備える浴室システムにおいて、
前記浴室空調装置の運転操作用のリモコンであって、前記浴室に隣接する脱衣所に設置された浴室空調用リモコンと、
前記浴室の室温を検出する温度センサと、
該温度センサによる温度検出値を監視し、該温度検出値が所定の第１閾値温度よりも低い温度になった場合に、前記給湯装置による風呂運転の実行の有無によらずに、前記浴室空調装置による暖房運転の実行を推奨する旨の報知情報を前記浴室空調用リモコンから出力させるように該浴室空調用リモコンを制御するように構成された制御装置とを備えることを第１の基本構成とする。
【００１０】
なお、本発明において「風呂運転」は、浴槽の湯はり、追い焚き又は足し湯等、浴槽の湯量又は湯温を変化させる運転を意味する。
【００１１】
かかる第１の基本構成を有する本発明によれば、前記温度センサによる温度検出値（浴室の室温の検出値）（が所定の第１閾値温度よりも低い温度になった場合には、前記給湯装置による風呂運転の実行の有無によらずに、前記浴室空調装置による暖房運転の実行を推奨する旨の報知情報が、浴室に隣接する脱衣所に設置される浴室空調用リモコンから出力される。
【００１２】
このため、ユーザが入浴（浴槽内の湯にユーザが浸かる）しようとして、風呂運転を給湯装置に実行させた場合だけでなく、ユーザが浴室で入浴せずに、シャワーを浴びようとして、脱衣所に入室した場合にも、該脱衣所の浴室空調用リモコンからの報知情報の出力によって、浴室が冷えた状態であること、ひいては、浴室空調装置による暖房運転を実行することが望ましいことを、ユーザが裸になって浴室に入室する前の段階にて高い確実性で認識することができる。
【００１３】
よって、本発明によれば、ユーザが入浴するか否かによらずに、浴室が冷えている場合の報知を適切に行うことができる。
【００１４】
かかる第１の基本構成を有する本発明は、前記制御装置は、前記浴室空調用リモコンから前記報知情報が出力されている状態で、該浴室空調用リモコンの所定の操作がなされた場合に、該報知情報の出力を中止させる機能をさらに含むように構成されていることを第２の基本構成とする。
【００１５】
これによれば、ユーザは、前記報知情報を認識した後、前記浴室空調用リモコンからの前記報知情報の出力を、省エネ等のために適宜、中止させることができる。
【００１６】
なお、浴室空調用リモコンの所定の操作としては、該浴室空調用リモコンのスイッチ類の操作、あるいは、該浴室空調用リモコンへの音声入力等を採用し得る。
【００１７】
上記第１の基本構成及び第２の基本構成を有する本発明の第１の態様では、前記制御装置は、前記浴室空調用リモコンからの前記報知情報の出力を中止させた後、前記温度センサによる温度検出値を監視することを継続し、該温度検出値が前記第１閾値温度よりも低い温度に維持されていることが検知されている状態で、前記給湯装置による風呂運転が開始された場合に、前記浴室空調装置の運転停止中であり、且つ該浴室空調運転の停止後の経過時間が所定時間以上であることを必要条件として、前記報知情報の出力を再開させるように、前記浴室空調用リモコンを制御する機能をさらに含むように構成されていることを特徴とする（第１発明）。
【００１８】
これによれば、浴室空調用リモコンからの前記報知情報の出力を中止させた後であっても、前記温度検出値が前記第１閾値温度よりも低い温度に維持された状態、すなわち、浴室が冷えた状態が継続している場合には、ユーザが入浴しようとして、前記給湯装置による風呂運転が開始されると、前記浴室空調装置の運転停止中であり、且つ該浴室空調運転の停止後の経過時間が所定時間以上であることを必要条件として、前記浴室空調用リモコンからの前記報知情報の出力が再開される。
【００１９】
このため、浴室空調用リモコンからの前記報知情報の出力を中止させたユーザが、そのことを失念した状態で、入浴しようとして風呂運転を開始させた場合、あるいは、浴室空調用リモコンからの前記報知情報の出力を中止させたユーザとは別のユーザが、入浴しようとして風呂運転を開始させた場合に、その入浴しようとするユーザは、浴室が冷えていること（ひいては、暖房運転を行うことが望ましいこと）を、脱衣所にて改めて認識することができる。また、浴室空調装置の運転停止直後は、前記報知情報の出力が再開されない。
【００２０】
したがって、浴室空調用リモコンからの前記報知情報の出力を、過剰にならないようにしつつ、適度なタイミングで発生させることができる。
【００２１】
上記第１の基本構成及び第２の基本構成を有する本発明の第２の態様では、前記制御装置は、前記浴室空調用リモコンからの前記報知情報の出力を停止させた後、前記温度センサによる温度検出値を監視することを継続し、該温度検出値が、前記第１閾値温度よりも高い温度に上昇したこと、又は該第１閾値温度よりも所定値だけ高い第２閾値温度よりも高い温度に上昇したことを検知した場合には、当該上昇の検知後、前記温度検出値が前記第１閾値温度よりも低い温度に低下したことが検知された場合に、該当該上昇の検知後の前記給湯装置の風呂運転の実行の有無によらずに、前記報知情報の出力を再開させるように、前記浴室空調用リモコンを制御する機能をさらに含むように構成されていることを特徴とする（第２発明）。
【００２２】
これによれば、浴室空調用リモコンからの前記報知情報の出力を中止させた後であっても、前記温度検出値が、一旦、前記第１閾値温度又は第２閾値温度よりも高い温度に上昇した場合（浴室が冷えた状態が解消した場合）には、その後、浴室が再び冷えた状態になれば、浴室空調用リモコンからの前記報知情報の出力を再び、自動的に発生させることができる。
【００２３】
したがって、浴室空調用リモコンからの前記報知情報の出力を、過剰にならないようにしつつ、適度なタイミングで発生させることができる。
【００２４】
上記第１発明又は第２発明では、前記制御装置は、前記浴室空調用リモコンから前記報知情報が出力されている状態で、前記温度検出値が、前記第１閾値温度よりも高い温度に上昇した場合、又は該第１閾値温度よりも所定値だけ高い第２閾値温度よりも高い温度に上昇した場合に、該報知情報の出力を停止させる機能をさらに含むように構成されていることが好ましい（第３発明）。
【００２５】
これによれば、浴室空調用リモコンからの前記報知情報が出力された状態で、浴室空調装置による暖房運転の実行、あるいは、家屋内の温度上昇等に起因して、浴室が冷えた状態が解消すれば、浴室空調用リモコンからの前記報知情報の出力を自動的に停止させることができる。
【００２６】
上記第１〜第３発明の浴室システムは、前記給湯装置の運転操作用のリモコンであって、前記脱衣所以外の箇所に設置された給湯装置用リモコンを備え得る。この場合、前記制御装置は、前記浴室空調用リモコンから前記報知情報が出力されている状態で、前記給湯装置用リモコンの操作によって風呂運転の実行が指示された場合に、前記浴室空調装置による暖房運転の実行を推奨する旨の報知情報を前記給湯装置用リモコンから出力させるように該給湯装置用リモコンを制御する機能をさらに含むように構成されていることが好ましい（第４発明）。
【００２７】
これによれば、浴室が冷えていて、前記浴室空調用リモコンから前記報知情報が出力されている状態で、ユーザが入浴しようとして、給湯装置用リモコンの操作によって風呂運転の実行を指示すると、該給湯装置用リモコンから浴室空調装置による暖房運転の実行を推奨する旨の報知情報が出力される。
【００２８】
このため、ユーザは、給湯装置用リモコンの操作によって風呂運転の実行を指示した場合、該給湯装置用リモコンの設置場所（台所等）にて、直ちに、浴室が冷えている状態であり、ひいては、浴室空調装置による暖房運転を実行することが望ましいことを認識することができる。ひいては、入浴前に浴室空調装置の暖房運転を開始させておく等の処置をとることができる。
【００２９】
上記第１〜第４発明では、前記制御装置は、前記温度検出値が前記第１閾値温度よりも 
低い温度になっている状態で前記給湯装置による風呂運転を実行するときに、該風呂運転の実行に連動して前記浴室空調装置による暖房運転を行うように該浴室空調装置を制御する機能をさらに含むと共に、当該機能を有効とするか否かをユーザの所定の操作によって選択し得るように構成され得る（第５発明）。
【００３０】
これによれば、浴室が冷えている状況では、ユーザが給湯装置による風呂運転を実行させるだけで、自動的に、浴室空調装置による暖房運転を開始させようにすることができる。
【００３１】
上記第１〜第５発明では、前記制御装置は、ユーザの所定の操作によって前記第１閾値温度を変更し得るように構成されていることが好ましい（第６発明）。
【００３２】
これによれば、ユーザは、前記報知情報を前記浴室空調用リモコンから出力させるタイミングを規定する前記第１閾値温度を所望により変更することができる。従って、浴室空調用リモコンから前記報知情報を出力させることを、ユーザに適したタイミングで行わせるようにすることができる。
【００３３】
上記第６発明では、前記制御装置は、あらかじめ定められた所定の下限値以上の範囲で前記第１閾値温度を変更し得るように構成されていることが好ましい（第７発明）。
【００３４】
これによれば、前記第１閾値温度が、誤って、低過ぎる温度に設定されるのを防止できる。
【図面の簡単な説明】
【００３５】
【図１】本発明の実施形態の浴室システムの全体構成を示すブロック図。
【図２】実施形態の浴室システムの浴室空調装置の構成を示す図。
【図３】給湯装置用リモコンの操作部及び情報出力部の一例の構成を示す図。
【図４】浴室空調用リモコンの操作部及び情報出力部の一例の構成を示す図。
【図５】浴室空調装置及び浴室空調用リモコンに関する処理を示すフローチャート。
【図６】浴室の室温の変化の一例を示す図。
【図７】給湯装置及び給湯装置用リモコンに関する処理を示すフローチャート。
【図８】図８Ａ、図８Ｂ及び図８Ｃは、給湯装置用リモコンにおける情報表示例を示す図。
【発明を実施するための形態】
【００３６】
本発明の一実施形態を図１〜図８を参照して以下に説明する。図１に示すように、本実施形態の浴室システム１は、給湯装置２と、浴室空調装置３とを備える。
【００３７】
給湯装置２は、給湯運転機能と風呂運転機能とを有する。給湯運転機能は、台所、浴室、又は洗面所等に配置される給湯口（カラン等）への給湯を行う機能、風呂運転機能は浴室の浴槽Ｂの湯はり、追い焚き、又は足し湯等の風呂運転を行う機能である。
【００３８】
これらの機能を有する給湯装置２は、燃焼式熱源機等の熱源機（図示省略）を備える公知の構成のものである。該給湯装置２は、給湯運転時、あるいは、浴槽Ｂの湯はり運転時もしくは足し湯運転時に、給湯口あるいは浴槽に供給する給湯用水を熱源機により加熱する。また、給湯装置２は、浴槽Ｂの追い炊き運転時には、浴槽Ｂ内の湯を、該浴槽Ｂと熱源機との間で循環させつつ該熱源機により加熱する。
【００３９】
本実施形態では、給湯装置２は、さらに暖房用熱媒としての温水を熱源機で加熱する機能も有する。該温水は、浴室空調装置３の暖房運転時に、給湯装置２の熱源機と浴室空調装置３との間で循環するように流通される。
【００４０】
なお、暖房用熱媒は、温水以外の熱媒、例えば不凍液であってもよい。また、暖房用熱媒は、浴室空調装置３以外の暖房装置の熱媒として使用されてもよい。
【００４１】
浴室空調装置３は、本実施形態では、浴室の暖房を行う暖房運転に加えて、乾燥運転、換気運転、送風運転を行う機能を有する空調装置である。図２は、これらの機能を有する浴室空調装置３の一例の概略構成を示している。
【００４２】
この浴室空調装置３は、浴室の天井部（もしくは側壁部）に装着される本体ケース１０に搭載された送風機１１を備える。送風機１１は、電動モータ１１ａにより回転駆動される回転ファン１１ｂを備えており、該回転ファン１１ｂを回転駆動することで、浴室内の空気が吸込み口グリル１２を介して本体ケース１０の内部に吸い込まれるようになっている。そして、本体ケース１０の内部に吸い込まれた浴室内の空気は、送風通路１３を通って浴室内に吹出され、あるいは、換気通路１４を通って外部に排気されるようになっている。
【００４３】
この場合、本体ケース１０の内部における送風通路１３と換気通路１４との分岐箇所には、電動モータ１５により回転駆動させ得る風路切替ダンパー１６が配置されている。そして、該風路切替ダンパー１６の回転位置を電動モータ１５を介して制御することによって、本体ケース１０の内部に吸い込んだ空気の供給先（送風機１１の送風先）を、送風通路１３と換気通路１４とのうちのいずれか一方、又は両方に切替えることが可能となっている。
【００４４】
送風通路１３には、暖房用熱媒としての温水を流通させる熱交換器１７（放熱部）が介装されている。この熱交換器１７は、給湯装置２の熱源機側から該熱交換器１７に温水を供給する往路側温水流路１８ａと、該熱交換器１７から給湯装置２の熱源機側に温水を戻す復路側温水流路１８ｂとを介して給湯装置２の熱源機に接続されている。また、往路側温水流路１８ａと復路側温水流路１８ｂとのうちの一方、例えば復路側温水流路１８ｂには、これを開閉する電磁弁１９が介装されている。
【００４５】
さらに、送風通路１３の出口部（浴室への開口端部）には、電動モータ２０により回転駆動させ得る吹き出しルーバ２１が配置されている。この吹き出しルーバ２１は、その回転位置を電動モータ２０を介して制御することによって、送風通路１３の出口部を開閉したり、あるいは、該出口部の開状態での浴室への送風の吹き出し方向を変更することが可能となっている。
【００４６】
また、本体ケース１０の内部のうち、吸込み口グリル１２の近辺には、浴室の湿度を検出する湿度センサ２２と、浴室の室温を検出する温度センサ２３とが配置され、往路側温水流路１８ａには、熱交換器１７に供給される温水の温度を検出する温度センサ２４が装着されている。
【００４７】
以上のように構成された浴室空調装置３の暖房運転時には、電磁弁１９を開弁した状態で、給湯装置２の熱源機で加熱された温水が、図示しない循環ポンプの作動によって、往路側温水流路１８ａ、熱交換器１７及び復路側温水流路１８ｂを経由して循環するように流通される。そして、送風通路１３を開通させる位置に風路切替ダンパー１６を作動させると共に、送風通路１３の出口部を開状態とする位置に吹き出しルーバ２１を作動させた状態で、送風機１１が作動される。
【００４８】
このとき、本体ケース１０の内部に吸い込まれた浴室内の空気が、送風通路１３を通る過程で、熱交換器１７での温水との熱交換によって加熱される。これにより、加熱された空気が吹き出しルーバ２１から浴室に送風され、浴室の暖房が行われる。
【００４９】
また、浴室空調装置３の乾燥運転時には、暖房運転時と同様に熱交換器１７に温水を流通させる一方、送風通路１３及び換気通路１４の両方を開通させる位置に風路切替ダンパー１６を作動させると共に、送風通路１３の出口部を開状態とする位置に吹き出しルーバ２１を作動させた状態で、送風機１１が作動される。これにより、浴室への加熱された空気の送風と、浴室内の空気の一部の排気（換気）とが行われ、ひいては、浴室の乾燥が行われる。
【００５０】
また、浴室空調装置３の換気運転時には、電磁弁１９を閉弁することで温水の流通を遮断し、さらに換気通路１４を開通させる位置に風路切替ダンパー１６を作動させると共に、送風通路１３の出口部を閉状態とする位置に吹き出しルーバ２１を作動させた状態で、送風機１１が作動される。これにより、浴室内の空気が排気され、該浴室の換気が行われる。
【００５１】
また、浴室空調装置３の送風運転時には、電磁弁１９を閉弁することで温水の流通を遮断し、さらに送風通路１３を開通させる位置に風路切替ダンパー１６を作動させると共に、送風通路１３の出口部を開状態とする位置に吹き出しルーバ２１を作動させた状態で、送風機１１が作動される。これより、浴室への非加熱状態の空気の送風（涼風の送風）が行われる。
【００５２】
なお、湿度センサ２２による湿度検出値、あるいは、温度センサ２３，２４による温度検出値は、暖房運転あるいは乾燥運転における浴室空調装置３の運転制御等に利用される。
【００５３】
次に、本実施形態の浴室システム１の制御に係る構成を説明する。
【００５４】
本実施形態の浴室システム１は、給湯装置２及び浴室空調装置３にそれぞれ搭載された制御装置３１，３２と、給湯装置２の運転操作用のリモコン３３，３４と、浴室空調装置３の運転操作用のリモコン３５とを備える。
【００５５】
制御装置３１は、給湯装置２の運転制御を担う装置、制御装置３２は、浴室空調装置３の運転制御を担う装置である。これらの制御装置３１，３２は、ＣＰＵ、ＲＡＭ、ＲＯＭ、インターフェース回路、通信回路等を含む電子回路ユニットにより構成され、相互に有線又は無線により通信可能である。
【００５６】
そして、制御装置３１は、実装されるプログラム又はハードウェア構成により実現される機能によって、給湯装置２の運転制御に係る制御処理と、リモコン３３，３４との情報データの通信とを実行する。
【００５７】
また、制御装置３２は、実装されるプログラム又はハードウェア構成により実現される機能によって、浴室空調装置３の運転制御に係る制御処理と、リモコン３５との情報データの通信とを実行する。
【００５８】
給湯装置２の運転操作用のリモコン３３，３４は、本実施形態では、台所に配置されるリモコン３３（以降、台所リモコン３３ということがある）と、浴室に配置されるリモコン３４（以降、浴室リモコン３４ということがある）とを含む。なお、リモコン３３，３４は、本発明における給湯装置用リモコンに相当する。
【００５９】
これらのリモコン３３，３４のそれぞれは、ユーザが給湯装置２の運転等に関する各種操作を行うための操作部と、給湯装置２の運転状態等の各種情報をユーザに視覚的もしくは聴覚的に報知する情報出力部とを備える。
【００６０】
リモコン３３，３４のうちの台所リモコン３３の操作部及び情報出力部の一例を図３に示す。図示例の台所リモコン３３は、操作部を構成する代表的な操作スイッチとして、給湯装置２の運転のオンオフ操作（給湯装置２を起動又は停止させる操作）を行うための運転スイッチ４０ａと、浴槽Ｂの湯はり運転（自動湯はり運転）を給湯装置２に実行させるための湯はりスイッチ４０ｂと、浴槽Ｂの追い炊き運転を給湯装置２に実行させるための追い焚きスイッチ４０ｃと、台所に居るユーザと浴室に居るユーザとの間でリモコン３３，３４を介して通話を行うための通話スイッチ４０ｄとを備える。
【００６１】
さらに開閉蓋４２の内側には上記以外の各種操作スイッチ（図示省略）が配置されている。
【００６２】
また、台所リモコン３３は、情報出力部として、給湯装置２の運転状態等の各種情報を文字、図形、記号等により表示する表示器４１ａと、給湯装置２の運転状態等に係る音声出力もしくは音響出力を発生するスピーカ４１ｂとを備える。
【００６３】
図示は省略するが、浴室リモコン３４も台所リモコン３３と同様に、運転スイッチ等を含む操作部と、表示器及びスピーカを含む情報出力部とを備える。ただし、台所リモコン３３及び浴室リモコン３４にそれぞれ備える操作部又は情報出力部は、両方のリモコン３３，３４で同じである必要はない。
【００６４】
また、図１に示すように、リモコン３３，３４には、それぞれ、ＣＰＵ、ＲＡＭ、ＲＯＭ、インターフェース回路、通信回路等により構成された制御回路部３３ａ，３４ａが搭載されている。
【００６５】
これらの制御回路部３３ａ，３４ａは、給湯装置２の制御装置３１と有線又は無線により通信可能である。そして、台所リモコン３３の制御回路部３３ａは、実装されるプログラムを実行することにより実現される機能またはハードウェア構成により実現される機能として、該台所リモコン３３の操作部の操作情報を給湯装置２の制御装置３１に送信する機能と、該操作部の操作又は制御装置３１から与えられる情報等に応じて情報出力部を制御する機能とを有する。
【００６６】
同様に、浴室リモコン３４の制御回路部３４ａは、実装されるプログラムを実行することにより実現される機能またはハードウェア構成により実現される機能として、該浴室リモコン３４の操作部の操作情報を給湯装置２の制御装置３１に送信する機能と、該操作部の操作又は制御装置３１から与えられる情報等に応じて情報出力部を制御する機能とを有する。
【００６７】
補足すると、リモコン３３，３４のそれぞれの操作部及び情報出力部は、図３に示した形態に限られるものでないことはもちろんであり、種々様々な形態を採用し得る。例えば、リモコン３３，３４のそれぞれの操作部の操作スイッチの全部又は一部は、表示器としての機能を併せ持つタッチパネルで表示されるスイッチであってもよい。また、当該操作部は、ダイヤル式もしくはスライド式の操作子を含んだり、音声入力による操作を受け付けるように構成されていてもよい。
【００６８】
また、リモコン３３，３４のそれぞれの情報出力部は、ＬＥＤランプ等の報知ランプを含んでいてもよい。
【００６９】
また、給湯装置２の運転操作用のリモコンは、台所リモコン３３及び浴室リモコン３４以外のリモコンをさらに含んでいてもよい。
【００７０】
浴室空調装置３の運転操作用のリモコン３５は、本実施形態では、浴室に隣接する脱衣所に配置されるリモコンである。このリモコン３５（以降、浴室空調用リモコン３５ということがある）は、ユーザが浴室空調装置３の運転等に関する各種操作を行うための操作部と、浴室空調装置３の運転状態等の各種情報をユーザに視覚的もしくは聴覚的に報知する情報出力部とを備える。なお、脱衣所は、洗面所、洗濯室等を兼ねる場所であってもよい。
【００７１】
浴室空調用リモコン３５の操作部及び情報出力部の一例を図４に示す。図示例の浴室空調用リモコン３５は、操作部を構成する代表的な操作スイッチとして、浴室空調装置３に暖房運転を実行させるための暖房運転スイッチ４５ａと、乾燥運転を実行させるための乾燥運転スイッチ４５ｂと、送風運転を実行させるための送風運転スイッチ４５ｃと、換気運転を実行させるための換気運転スイッチ４５ｄと、暖房運転等の各運転を停止させるための停止スイッチ４５ｅとを備える。
【００７２】
さらに開閉蓋４７の内側には上記以外の各種操作スイッチ（図示省略）が配置されている。
【００７３】
また、浴室空調用リモコン３５は、情報出力部として、浴室空調装置３の運転状態等の各種情報を文字、図形、記号等により表示する表示器４６ａを備える。
【００７４】
また、図１に示すように、浴室空調用リモコン３５には、ＣＰＵ、ＲＡＭ、ＲＯＭ、インターフェース回路、通信回路等により構成された制御回路部３５ａが搭載されている。
【００７５】
この制御回路部３５ａは、浴室空調装置３の制御装置３２と有線又は無線により通信可能である。そして、浴室空調用リモコン３５の制御回路部３５ａは、実装されるプログラムを実行することにより実現される機能またはハードウェア構成により実現される機能として、該浴室空調用リモコン３５の操作部の操作情報を給湯装置２の制御装置３１に送信する機能と、該操作部の操作又は制御装置３２から与えられる情報等に応じて情報出力部を制御する機能とを有する。
【００７６】
補足すると、浴室空調用リモコン３５の操作部及び情報出力部は、図４に示した形態に限られるものでないことはもちろんであり、種々様々な形態を採用し得る。例えば、浴室空調用リモコン３５の操作部の操作スイッチの全部又は一部は、表示器としての機能を併せ持つタッチパネルで表示されるスイッチであってもよい。また、当該操作部は、ダイヤル式もしくはスライド式の操作子を含んだり、音声入力による操作を受け付けるように構成されていてもよい。
【００７７】
また、浴室空調用リモコン３５の情報出力部は、ＬＥＤランプ等の報知ランプ、あるいは、音声出力もしくは音響出力を発生するスピーカを含んでいてもよい。
【００７８】
また、浴室空調用リモコンは、脱衣所に配置されるリモコン３５以外のリモコンをさらに含んでいてもよい。
【００７９】
なお、本実施形態の浴室システム１では、前記制御装置３１，３２と、リモコン３３，３４，３５のそれぞれの制御回路部３３ａ，３４ａ，３５ａとにより本発明における制御装置が構成される。ただし、例えば制御装置３１，３２を１つの制御装置で構成したり、あるいは、各リモコン３３，３４，３５の制御回路部３３ａ，３４ａ，３５ａの機能の全部又は一部を、制御装置３１又は３２に持たせるようにすることも可能である。
【００８０】
次に、本実施形態の浴室システム１において、ユーザが入浴又はシャワー浴等のために浴室に入室しようとする場合の報知に関する作動を説明する。
【００８１】
図５のフローチャートは、浴室空調装置３の制御装置３２と浴室空調用リモコン３５の制御回路部３５ａとにより実行される処理を示している。なお、図５では、ＳＴＥＰ１の前の当初の状態は、後述する浴室暖房推奨報知が行われていない状態とする。
【００８２】
浴室空調装置３の制御装置３２は、前記温度センサ２３の出力により示される浴室の室温の検出値（以降、浴室温度検出値という）を逐次監視し、該浴室温度検出値が所定の第１閾値温度α以下の温度になったか否かを判断する（ＳＴＥＰ１）。
【００８３】
ここで、上記第１閾値温度αは、それよりも浴室の室温が低いものとなる状況が、ユーザが浴室に入室したときのヒートショックの発生の防止等のために、浴室の暖房を行っておくことが好ましい程度に、浴室が冷えた状況であるとして、事前に設定された温度である。
【００８４】
該第１閾値温度αは、本実施形態では、ユーザがリモコン３３〜３５のいずれかの操作部の所定の操作を行うことによって、あらかじめ定められた範囲内でデフォルト値（初期値）から適宜、変更することが可能となっている。該第１閾値温度αの可変範囲の下限値及び上限値は、それぞれ例えば１０℃、２０℃である。
【００８５】
ＳＴＥＰ２の判断結果が否定的である場合（浴室温度検出値＞αである場合）には、ＳＴＥＰ１の判断処理が繰り返される。
【００８６】
一方、ＳＴＥＰ２の判断結果が肯定的になると（浴室温度検出値≦αになると）、制御装置３２は、ＳＴＥＰ２において、浴室の室温状態が、浴室の暖房運転の実行が推奨される、冷えた状態であるか否かを、それぞれＯＮ、ＯＦＦで示すサインフラグをＯＮに設定する。さらに、ＳＴＥＰ２では、制御装置３２は、ＯＮに設定したサインフラグを給湯装置２の制御装置３１に送信する。
【００８７】
そして、ＳＴＥＰ３において、制御装置３２は、浴室空調用リモコン３５の情報出力部から浴室の暖房運転の実行を推奨する旨の報知情報である浴室暖房推奨報知を出力すべきことを脱衣所の浴室空調用リモコン３５の制御回路部３５ａに指示することによって、該浴室空調用リモコン３５に浴室暖房推奨報知を出力させる。
【００８８】
例えば、浴室温度検出値が、図６のグラフａで示す如く時刻ｔ１において、第１閾値温度αよりも高い温度から第１閾値温度α以下の温度に低下した場合、浴室暖房推奨報知が浴室空調用リモコン３５から出力される（図６中の（１）〜（３）のバーを参照）。
【００８９】
上記浴室暖房推奨報知は、例えば図４に例示するように、浴室空調用リモコン３５の表示器４６ａの所定の領域（二点鎖線で示す枠領域）に、浴室が低温状態であることを示す「低温」という表示を連続的もしくは間欠的に行うことでなされる。
【００９０】
かかる浴室暖房推奨報知によって、ユーザは、入浴あるいはシャワー浴のために脱衣所に入室した場合に、浴室に裸で入室する前の段階にて、浴室が冷えており、ひいては、浴室の暖房運転を行うことが好ましいことを認識することができる。この場合、上記浴室暖房推奨報知は、浴室室温検出値が第１閾値温度α以下である場合には、浴槽Ｂの風呂運転の実行の有無によらずに行われるので、ユーザが入浴しようとする場合及びシャワー浴を行おうとする場合のいずれの場合でも、ユーザは浴室の暖房運転の必要性を認識できる。
【００９１】
なお、浴室空調用リモコン３５による浴室暖房推奨報知は、上記の形態以外の形態で行ってもよい。例えば、「浴室暖房の使用をおすすめします。」というようなメッセージを表示器４６ａに表示したり、当該メッセージと同様の内容の音声を浴室空調用リモコン３５から間欠的に出力させるようにしてもよい。あるいは、例えば、浴室空調用リモコン３５に備えた特定の報知ランプを点灯又は点滅させるようにしてもよい。
【００９２】
上記のように浴室空調用リモコン３５による浴室暖房推奨報知を行いつつ、制御装置３２は、ＳＴＥＰ４において、浴室空調用リモコン３５の所定のスイッチ操作がなされたか否かを、浴室空調用リモコン３５の制御回路部３５ａから送信される操作情報に基づいて監視する。
【００９３】
そして、浴室空調用リモコン３５の所定のスイッチ操作がなされた場合（ＳＴＥＰ４の判断結果が肯定的になった場合）には、制御装置３２は、ＳＴＥＰ５において、浴室暖房推奨報知を中止することをユーザが要求しているものとみなして、当該浴室暖房推奨報知を中止すべきことを浴室空調用リモコン３５に指示する。これにより、浴室空調用リモコン３５による浴室暖房推奨報知が中止される。
【００９４】
ここで、本実施形態では、浴室空調用リモコン３５の上記所定のスイッチ操作は、例えば、前記した暖房運転スイッチ４５ａ、乾燥運転スイッチ４５ｂ及び停止スイッチ４５ｅのいずれかの操作（押し操作）である。この場合、浴室空調装置３の運転停止中に、暖房運転スイッチ４５ａ及び乾燥運転スイッチ４５ｂのいずれかを操作した場合には、該運転スイッチ４５ａ又は４５ｂに対応する浴室空調装置３の運転（暖房運転又は乾燥運転）も開始される。また、浴室空調装置３の運転中に、停止スイッチ４５ｅを操作した場合には、浴室空調装置３の運転も停止される。
【００９５】
従って、例えば、図６の時刻ｔ４の直前の時刻においてユーザが、浴室空調用リモコン３５の暖房運転スイッチ４５ａを操作して浴室空調装置３の暖房運転を開始した場合（図６中の（１）のバーを参照）、あるいは、時刻ｔ２において、ユーザが浴室空調用リモコン３５の停止スイッチ４５ｅの操作を行った場合（図６中の（２）又は（３）のバーを参照）、浴室空調用リモコン３５による浴室暖房推奨報知が中止される。
【００９６】
補足すると、浴室暖房推奨報知を停止するための上記所定のスイッチ操作は、上記以外の操作であってもよい。例えば、当該所定のスイッチ操作は、１つの特定の操作スイッチの操作、あるいは、複数の操作スイッチの複合操作等であってもよい。また、浴室空調用リモコン３５が音声入力可能なものである場合には、所定の音声入力に応じて浴室暖房推奨報知を中止するようにしてもよい。
【００９７】
上記ＳＴＥＰ５に続いて、制御装置３２は、ＳＴＥＰ６において、浴室温度検出値を監視し、該浴室温度検出値が前記第１閾値温度αよりも所定値（例えば１℃）だけ高い第２閾値温度以上の温度に上昇したか否かを判断する。
【００９８】
そして、浴室空調装置３の暖房運転の実行、あるいは、家屋内の全体的な温度上昇等に起因して、浴室温度検出値が第２閾値温度（＝α＋１℃）以上の温度に上昇し、ＳＴＥＰ６の判断結果が肯定的になった場合（例えば図６における時刻ｔ４）には、制御装置３２は、ＳＴＥＰ１０において、前記サインフラグをＯＦＦにリセットした後、ＳＴＥＰ１からの処理を再開する。
【００９９】
このため、ＳＴＥＰ５において、浴室空調用リモコン３５による浴室暖房推奨報知を中止させた場合であっても、ＳＴＥＰ６の判断結果が肯定的になった後（例えば図６の時刻ｔ４以後）、浴室温度検出値が、再び、第１閾値温度α以下の温度に低下すれば（例えば図６の時刻ｔ５）、浴室空調用リモコン３５による浴室暖房推奨報知を中止を解除するためのユーザの操作を必要とすることなく、浴室空調用リモコン３５による浴室暖房推奨報知が再び自動的に行わる（図６中の（１）〜（３）を参照）。
【０１００】
また、ＳＴＥＰ６の判断結果が否定的である場合（浴室温度検出値＜第２閾値温度である場合。浴室温度検出値＜αに維持されている場合を含む）には、制御装置３２は、ＳＴＥＰ７において、浴室空調装置３の運転停止中であり、且つ、給湯装置２による浴槽Ｂの湯はり運転の実行中であるか否かをそれぞれＯＮ、ＯＦＦで示す湯はりフラグがＯＮに設定されており、且つ、浴室空調装置３の運転停止後の経過時間が所定時間（例えば１分）以上に達しているという条件が成立するか否かを判断する。
【０１０１】
なお、上記湯はりフラグは、給湯装置２の制御装置３１から浴室空調装置３の制御装置３２に送信されるフラグであり、リモコン３３の湯はりスイッチ４０ｂ又はリモコン３４の湯はりスイッチがＯＮ操作された場合に、制御装置３１によりＯＮに設定される。
【０１０２】
そして、制御装置３２は、ＳＴＥＰ７の判断結果が否定的である場合には、ＳＴＥＰ６からの処理を再び実行する。
【０１０３】
一方、ＳＴＥＰ７の判断結果が肯定的になった場合には、ＳＴＥＰ３からの処理を実行する。このため、ＳＴＥＰ５において、浴室空調用リモコン３５による浴室暖房推奨報知を強制的に停止させた後に、浴室温度検出値が第２閾値温度（＝α＋１℃）以上の温度に上昇しない状態（例えば浴室温度検出値が第１閾値温度αよりも低い温度に維持されている状態）で、給湯装置２の湯はり運転が開始された場合（すなわち、ユーザがまもなく入浴しようとしているとみなし得る場合）には、浴室空調用リモコン３５による浴室暖房推奨報知が自動的に再開される。
【０１０４】
例えば図６の時刻ｔ３において湯はり運転が開始された場合、図６中の（３）のバーで示すように、浴室空調用リモコン３５による浴室暖房推奨報知が再開される。
【０１０５】
従って、浴室空調用リモコン３５による浴室暖房推奨報知を、浴室空調用リモコン３５の所定の操作によって、強制的に中止させた後であっても、浴室が第２閾値温度よりも低い温度に冷えた状態で、ユーザが入浴しようとして給湯装置２による浴槽Ｂの湯はり運転を開始させた場合には、浴室空調装置３の運転停止の直後の状態（運転停止後の経過時間が所定時間（１分）に達していないい状態）を除いて、浴室空調用リモコン３５による浴室暖房推奨報知が自動的に再開される。
【０１０６】
このため、ユーザが、ＳＴＥＰ４において浴室空調用リモコン３５の所定の操作を自身が行うことによって浴室暖房推奨報知を中止させたことを失念している場合、あるいは、ＳＴＥＰ４において浴室空調用リモコン３５の所定の操作を他のユーザが行うことによって浴室暖房推奨報知が中止されたことを知らない場合のいずれの場合であっても、該ユーザが浴槽Ｂの湯はり後に、入浴しようとして脱衣所に入室したときに、浴室が冷えたままの状態となっている場合には、該浴室が冷えていること、ひいては、浴室の暖房運転を行うことが好ましいことを、浴室空調用リモコン３５による浴室暖房推奨報知によって改めて認識することができる。
【０１０７】
なお、本実施形態では、ＳＴＥＰ７において、浴室空調装置３の運転停止中であり、且つ、湯はりフラグがＯＮに設定されている場合であっても、浴室空調装置３の運転停止の直後の状態（運転停止後の経過時間が所定時間（１分）に達していない状態）では、浴室空調用リモコン３５による浴室暖房推奨報知は再開されない（ＳＴＥＰ３の処理は実行されない）。これは次の理由による。
【０１０８】
すなわち、ユーザが浴室空調用リモコン３５の停止スイッチ４５ｅの操作によって浴室空調装置３の換気運転等の運転を停止させた直後に、浴室暖房推奨報知が発生すると、ユーザは、該浴室暖房推奨報知が、浴室空調装置３の運転を停止させたことに関連した報知であると勘違いする等して、該ユーザが違和感を覚えやすい。
【０１０９】
そこで、本実施形態では、ＳＴＥＰ７において、浴室空調装置３の運転停止中であり、且つ、湯はりフラグがＯＮに設定されている場合であっても、浴室空調装置３の運転停止の直後の状態では、ＳＴＥＰ７の判断結果が否定的となり、浴室空調用リモコン３５による浴室暖房推奨報知は再開されないようにしている。
【０１１０】
前記ＳＴＥＰ４で浴室空調用リモコン３５の所定のスイッチ操作がなされない場合（ＳＴＥＰ４の判断結果が否定的となる場合）には、制御装置３２は、ＳＴＥＰ８において、浴室温度検出値が前記第２閾値温度（＝α＋１℃）以上の温度に上昇したか否かの判断処理（ＳＴＥＰ６と同じ判断処理）を実行する。
【０１１１】
そして、ＳＴＥＰ８の判断結果が否定的である場合（浴室温度検出値＜第２閾値温度である場合）には、制御装置３２は、ＳＴＥＰ４からの処理を再び実行する。
【０１１２】
一方、家屋内の全体的な温度上昇等に起因して、浴室温度検出値が第２閾値温度（＝α＋１℃）以上の温度に上昇し、ＳＴＥＰ８の判断結果が肯定的になった場合には、制御装置３２は、ＳＴＥＰ９において、浴室暖房推奨報知を停止することを浴室空調用リモコン３５に指示することによって、浴室空調用リモコン３５による浴室暖房推奨報知を停止させる。
【０１１３】
さらに、制御装置３２は、ＳＴＥＰ１０において前記サインフラグをＯＦＦにリセットした後、ＳＴＥＰ１からの処理を再開する。このため、浴室温度検出値が、再び、第１閾値温度α以下の温度に低下すれば、浴室空調用リモコン３５による浴室暖房推奨報知が自動的に改めて行わることとなる。
【０１１４】
なお、本実施形態では、第２閾値温度を第１閾値温度αよりも若干高い温度に設定しておくことで、浴室温度検出値が、第１閾値温度αの近辺でノイズ等に起因して変動するような場合であっても、浴室空調用リモコン３５による浴室暖房推奨報知の出力及びその停止が頻繁に行われるを防止することができる。
【０１１５】
以上が、浴室暖房推奨報知に関して、浴室空調装置３の制御装置３２及び浴室空調用リモコン３５の制御回路部３５ａにより実行される処理である。
【０１１６】
次に、図７のフローチャートは、給湯装置２の制御装置３１と、給湯装置２用のリモコン３３，３４のそれぞれの制御回路部３３ａ，３４ａとにより実行される処理を示している。
【０１１７】
ＳＴＥＰ２１において、台所リモコン３３の湯はりスイッチ４０ｂ（又は浴室リモコン３４の湯はりスイッチ）がＯＮ操作されると、すなわち、浴槽Ｂの湯はり運転の開始要求が発生すると、給湯装置２の制御装置３１は、ＳＴＥＰ２２において、浴室空調装置３の制御装置３２から送信されるサインフラグがＯＮであるか否かを判断する。このＳＴＥＰ２２の判断処理は、換言すれば、浴室温度検出値が第１閾値温度α以下の温度に低下した状態であるか否かを判断する処理である。
【０１１８】
ＳＴＥＰ２２の判断結果が肯定的である場合に、次のＳＴＥＰ２３からの処理が実行される。ＳＴＥＰ２３では、制御装置３１は、浴槽Ｂの湯はり運転時に連動して浴室の暖房運転を行う運転モードである湯はり・暖房連動モードが設定されているか否かを判断する。なお、湯はり・暖房連動モードは、ユーザが台所リモコン３３あるいは浴室リモコン３４の所定の操作を行うことで設定する（当該モードを有効する）ことが可能である。
【０１１９】
ＳＴＥＰ２３において、湯はり・暖房連動が設定されている場合（ＳＴＥＰ２３の判断結果がＹＥＳの場合）には、制御装置３１は、ＳＴＥＰ２４において、リモコン３３，３４のそれぞれの情報出力部から浴室の暖房運転の実行を推奨する旨の浴室暖房推奨報知を出力すべきことをリモコン３３，３４のそれぞれの制御回路部３３ａ，３４ａに指示することによって、リモコン３３，３４のそれぞれに浴室暖房推奨報知を出力させる。
【０１２０】
加えて、制御装置３１は、浴室の暖房運転を行うべき旨の指示信号を、浴室空調装置３の制御装置３２に送信する。このとき、浴室空調装置３の制御装置３２は、当該指示信号の受信に応じて浴室空調装置３の暖房運転を自動的に開始させる。
【０１２１】
また、ＳＴＥＰ２３において、湯はり・暖房連動が設定されていない場合（ＳＴＥＰ２３の判断結果がＮＯの場合）には、制御装置３１は、ＳＴＥＰ２５において、リモコン３３，３４のそれぞれの情報出力部から浴室の暖房運転の実行を推奨する旨の報知情報である浴室暖房推奨報知を出力すべきことをリモコン３３，３４のそれぞれの制御回路部３３ａ，３４ａに指示することによって、リモコン３３，３４のそれぞれに浴室暖房推奨報知を出力させる。なお、この場合には、浴室空調装置３の暖房運転は自動的には開始されない。
【０１２２】
本実施形態では、ＳＴＥＰ２４，２５における浴室暖房推奨報知は、例えば次のような形態で実行される。
【０１２３】
図８Ａ〜図８Ｃは、リモコン３３，３４のうちの一方、例えば台所リモコン３３の湯はりスイッチ４０ｂがＯＮ操作された場合における台所リモコン３３の表示器４１ａの表示例を示している。
【０１２４】
湯はりスイッチ４０ｂがＯＮ操作された場合、まず、図８Ａに示すように、表示器４１ａにおいて、湯はり運転を開始する旨のメッセージＡ（図示例では、「お湯はりを開始します。」）が表示されると共に、浴槽Ｂ内の湯温（「ふろ温度」）及び水位（「ふろ水位」）をユーザが行うための表示（図示例では、「０１」、「０２」の項目に関する表示。以降、風呂運転設定表示という）と、浴室の暖房運転を行うか否か（暖房運転のＯＮ、ＯＦＦ）をユーザが選択するための表示（図示例では「０３」の項目に関する表示。以降、浴室暖房選択表示という）とが表示される。
【０１２５】
かかる表示状態において、ユーザが「０１」、「０２」、又は「０３」の項目を所定の操作スイッチ（図示省略）で選択することで、浴槽Ｂ内の湯温もしくは水位の変更、あるいは、浴室の暖房運転のＯＮ、ＯＦＦの切替えを行うことができる。
【０１２６】
そして、湯はりスイッチ４０ａのＯＮ操作を行ったときに、前記ＳＴＥＰ２２の判断結果が否定的である場合（浴室温度検出値＞αである場合）には、無操作状態で一定時間（例えば１０秒）が経過すると、上記メッセージＡの表示、風呂運転設定表示、及び浴室暖房選択表示は終了される。
【０１２７】
一方、湯はりスイッチ４０ａのＯＮ操作を行ったときに、前記ＳＴＥＰ２２の判断結果が肯定的である場合（浴室温度検出値＞αである場合）には、メッセージＡの表示が一定時間（例えば１０秒）行われた後、該メッセージＡが、図８Ｂに例示する如く、浴室暖房推奨報知としてのメッセージＢ（図示例では、「浴室暖房の使用をお勧めします。」）に切替えれられ、該メッセージＢの表示が、風呂運転設定表示及び浴室暖房選択表示と併せて、一定時間（例えば１０秒）行われる。
【０１２８】
これにより、入浴しようとして湯はりスイッチ４０ｂをＯＮ操作したユーザは、浴室が冷えており、暖房運転を行うことが好ましいことを認識することができる。
【０１２９】
そして、ユーザが、「０３」の項目を選択すると、図８Ｃに例示する表示が行われ、この表示状態で、浴室の暖房運転のＯＮ、ＯＦＦを選択することが可能となる。
【０１３０】
この場合、湯はり・暖房連動モードが事前に設定されていない状態では、ユーザが、「０３」の項目を選択した場合に、浴室の暖房運転がＯＦＦ状態である旨の表示（図示例では「切」）が強調表示される。そして、ユーザが浴室の暖房運転をＯＮに切替えるべく所定の操作を行うと、浴室の暖房運転がＯＮ状態である旨の表示（図示例では「入」）が強調表示される。これにより、湯はり・暖房連動モードを有効にする設定を行うことが可能となる。
【０１３１】
その後、ユーザが台所リモコン３３の操作を終了すると、給湯装置２の制御装置３１から浴室空調装置３の制御装置３２に浴室空調装置３の暖房運転を行うべき旨が指示され、さらに浴室空調装置３の暖房運転が自動的に開始される。
【０１３２】
また、湯はり・暖房連動モードが事前に設定されている状況で湯はりスイッチ４０ａのＯＮ操作が行われた場合にあっては、ユーザが、「０３」の項目を選択した場合に、浴室の暖房運転がＯＮ状態である旨の表示（図示例では「入」）が強調表示される。そして、ユーザが浴室の暖房運転をＯＮに維持したまま台所リモコン３３の操作を終了すると、給湯装置２の制御装置３１から浴室空調装置３の制御装置３２に浴室空調装置３の暖房運転を行うべき旨が指示され、さらに浴室空調装置３の暖房運転が自動的に開始される。
【０１３３】
なお、湯はり・暖房連動モードの設定又は非設定は、次回の湯はり運転時においても継承される。
【０１３４】
以上の如く、本実施形態では、浴室温度検出値が第１閾値温度α以下の温度に低下している状態で、台所リモコン３３の湯はりスイッチ４０ｂのＯＮ操作すると（湯はり運転を開始すると）、表示器４１ａにおける前記メッセージＢの表示によって、ユーザに対して浴室暖房推奨報知がなされることとなる。このことは、浴室リモコン３４についても同様である。
【０１３５】
これにより、ユーザは、脱衣所以外、台所、あるいは、浴室においても浴室暖房推奨報知を受けることができる。
【０１３６】
なお、本実施形態では、浴室温度検出値が第１閾値温度α以下の温度に低下している状態での台所リモコン３３（又は浴室リモコン３４）の操作によって給湯装置２の湯はり運転を開始させた場合における該リモコン３３（又は３４）での浴室暖房推奨報知は、浴室空調用リモコン３５での浴室暖房推奨報知が行われている状態と、該浴室空調用リモコン３５での浴室暖房推奨報知をユーザが中止させた状態とのいずれの状態でも行われる。
【０１３７】
ただし、例えば、給湯装置２の湯はり運転を開始させた場合における台所リモコン３３（又は浴室リモコン３４）での浴室暖房推奨報知は、浴室空調用リモコン３５での浴室暖房推奨報知が行われている状態でのみ、行うようにしてもよい。
【０１３８】
また、給湯装置２用のリモコン３３，３４による浴室暖房推奨報知は、上記の形態以外の形態で行ってもよい。例えば、台所リモコン３３の表示器４１ａに、浴室空調用リモコン３５の場合と同様に、浴室が低温である旨を表示したり、浴室暖房推奨報知を音声によりリモコン３３又は３４から間欠的に出力させるようにしてもよい。あるいは、例えば、リモコン３３又は３４に備えた特定の報知ランプを点灯又は点滅させるようにしてもよい。
【０１３９】
以上のように、本実施形態の浴室システム１によれば、浴室が冷えている場合（浴室温度検出値≦αである場合）には、ユーザは入浴する場合、あるいは入浴せずにシャワー浴を行う場合のいずれの場合でも、脱衣所の浴室空調用リモコン３５による浴室暖房推奨報知によって浴室が冷えていることを認識することができる。ひいては、ユーザは、浴室に入室する前に、浴室空調装置３の暖房運転を実行させる等の処置をとることができる。
【０１４０】
また、ユーザは、浴室空調用リモコン３５による浴室暖房推奨報知を適宜、所望により中止させることができる。また、浴室が冷えた状態で湯はり運転を給湯装置２に実行させる場合、あるいは、浴室の冷えた状態が一旦解消した後に、再び、該浴室が冷えた状態になった場合には、浴室暖房推奨報知の中止の解除操作を必要とすることなく、該浴室暖房推奨報知を再開することができる。
【０１４１】
このため、浴室空調用リモコン３５による浴室暖房推奨報知が過剰にならないようにしつつ、適度のタイミングで、浴室暖房推奨報知を行うことができる。
【０１４２】
また、浴室が冷えた状態で、ユーザが、給湯装置２用のリモコン３３，３４で湯はり運転の実行を指示した場合には、該リモコン３３，３４の設置場所にて、浴室が冷えていることをユーザが認識することができる。さらに、当該設置場所にて、浴室空調装置３の暖房運転を開始させるように、リモコン３３，３４を操作することもできる。
【０１４３】
なお、以上説明した実施形態では、浴室空調装置３は、給湯装置２で加熱される温水により浴室の暖房を行うものを示したが、浴室空調装置３の暖房は、電熱方式、あるいは、ヒートポンプ方式の暖房であってもよい。また、浴室空調装置３は、暖房運転機能だけを有するものであってもよい。
【０１４４】
また、前記実施形態では、第２閾値温度を第１閾値温度αよりも若干高い温度としたが、第２閾値温度を第１閾値温度αと同一温度にしてもよい。ただし、浴室空調用リモコン３５による浴室暖房推奨報知の出力及び停止が頻繁に切替わるのを防止する上では、第２閾値温度を第１閾値温度よりも若干、高い温度に設定しておくことが好ましい。
【０１４５】
また、例えば、前記ＳＴＥＰ６又は８において、浴室温度検出値が、例えば第１閾値温度αより高い温度となる状態もしくは第２閾値温度以上となる状態が所定時間以上継続した場合に、ＳＴＥＰ６又は８の判断結果が肯定的になるようにしてもよい。
【０１４６】
また、給湯装置２用のリモコン３３，３４での浴槽暖房推奨報知は、浴槽Ｂの湯はり運転の実行時以外の状況でも、行うようにしてもよい。
【符号の説明】
【０１４７】
１…浴室システム、２…給湯装置、３…浴室空調装置、３１，３２…制御装置、３３ａ，３４ａ，３５ａ…制御回路部（制御装置）。
【図１】
0006523048.tif 000002
【図２】
0006523048.tif 000003
【図３】
0006523048.tif 000004
【図４】
0006523048.tif 000005
【図５】
0006523048.tif 000006
【図６】
0006523048.tif 000007
【図７】
0006523048.tif 000008
【図８】
0006523048.tif 000009